(57)【要約】【課題】  電動モータあるいは流体圧力シリンダ等の駆動手段を一切用いることなく、シンプルな機構で安価に製造することができ、かつ、介護作業を容易に行うことができる介護用リフトを提供する。【解決手段】  少なくとも高さ調節機構を有する介護用のベッドと併用される介護用リフトであって、当該介護用リフトは、下端側が前記ベッドの側辺に載置され、上端側が前記ベッドの上方に位置するように立設された支柱と、支柱の上部からベッドの長手方向に延設されたアームと、アームに懸架されベッドの上面に垂下する人体吊り具とで構成され、介護者が人体吊り具を要介護者に装着後、リフト自体を固定したままベッドを下降させて使用する。【選択図】図１
2010252942.tif 000002
【特許請求の範囲】
【請求項１】
少なくとも高さ調節機構を有する介護用のベッドと併用される介護用リフトであって、前記介護用リフトは、下端側が前記ベッドの側辺に載置され、上端側が前記ベッドの上面上方に位置するように立設された支柱と、前記支柱の上端側から前記ベッドの長手方向に延設されたアームと、前記アームに懸架され前記ベッドの上面に垂下する人体吊り具とで構成され、前記人体吊り具を前記ベッドに横たわる要介護者の身体に装着した後、前記ベッドの高さを前記高さ調節機構を介して自動的に下げ、前記要介護者の背面と前記ベッドの上面との間に間隙を形成するようにして使用されることを特徴とする介護用リフト。
【請求項２】
前記支柱は、前記下端側に設けられた枢軸部を支点として前記ベッドの長手方向に折り畳み可能に設けられていることを特徴とする請求項１に記載の介護用リフト。
【請求項３】
前記ベッドの長手方向は、前記要介護者の頭部側であることを特徴とする請求項２に記載の介護用リフト。
【請求項４】
前記支柱は、前記要介護者の頭部側から脚部側に向けて湾曲状に形成されていることを特徴とする請求項１ないし３のいずれかに記載の介護用リフト。
【請求項５】
前記支柱の上端側に、該支柱を前記ベッドの長手方向に折り畳んだときにサイドレールとして機能するフレームが設けられていることを特徴とする請求項２ないし４のいずれかに記載の介護用リフト。
【請求項６】
前記支柱は、下端側が脚フレームに連結され、該脚フレームは前記支柱を高さ方向に移動可能なネジ部材を有していることを特徴とする請求項１ないし５のいずれかに記載の介護用リフト。
【請求項７】
前記脚フレームには、当該介護用リフト本体を移動可能とするキャスタが設けられていることを特徴とする請求項６に記載の介護用リフト。
【請求項８】
前記支柱、前記アーム、及び前記脚フレームは同一素材のフレームにより一体的に設けられていることを特徴とする請求項１ないし７のいずれかに記載の介護用リフト。
【請求項９】
前記同一素材のフレームは金属製パイプであることを特徴とする請求項８に記載の介護用リフト。
【発明の詳細な説明】
【技術分野】
【０００１】
本発明は、ベッドに横たわる要介護者の介護時に使用される介護用リフトに関し、さらに詳細には、少なくとも高さ調節機構を有する介護用のベッドと併用される介護用リフトに関する。
【背景技術】
【０００２】
一般に、ベッドに横たわる身体が不自由な人、例えば、病人、怪我人、高齢者、あるいは身体障害者等（以下、「要介護者」という）に対し、介護者がおむつ交換、シーツ交換、臀部への便器の挿入、あるいは臀部の洗浄等の介護を行う場合には、介護用リフトが用いられる。
【０００３】
従来、このような介護用リフトは種々の形態のものが提案され、実用化されている。例えば特許文献１には、図９に示すように、先端にフック１０１を有するハンガー１０２を備えた昇降アーム１０３を介護用のベッドＢに取り付け、フック１０１に懸架された介護用ベルト等の人体吊り具１０４をベッドＢに横たわる要介護者Ｍの背部及び／又は腰部、あるいは脚部等に装着し、昇降駆動装置１０５を介して要介護者ＭをベッドＢの上面から吊り上げるようにした介護用リフト１００が提案されている。
【０００４】
また、特許文献２には、図１０に示すように、人体吊り具２０４の両端部２０４ａ、２０４ｂをベッドＢより高い懸架部２０６に着脱自在に係止しておき、人体吊り具２０４の一端部２０４ａを巻上げ装置２０５のハンドル２０５ｈを回して巻き上げることにより、要介護者ＭをベッドＢの上面から持ち上げるようにした介護用リフト２００が提案されている。
【０００５】
なお、上述した人体吊り具１０４、２０４については、形状や機能の異なる各種タイプのものがあり、また、要介護者Ｍが横たわる介護用のベッドＢについても、高さ調節、背上げ角度調節、膝上げ調節等の多機能を備えた各種のものが公知であり、かつ実用化されている。
【先行技術文献】
【特許文献】
【０００６】
【特許文献１】特開平１１−０８９８９６号公報
【特許文献２】特開２０００−２１０３４６号公報
【発明の概要】
【発明が解決しようとする課題】
【０００７】
しかしながら、特許文献１に係る介護用リフト１００は、昇降駆動装置１０５が電動モータあるいは流体圧力シリンダ等の機器を含み、これらの機器を駆動して昇降アーム１０３を昇降する方式であったため、装置構成が複雑、高価となり、また設置スペースをとる等の問題があった。
【０００８】
また、特許文献２に係る介護用リフト２００は、上述した電動モータあるいは流体圧力シリンダ等の駆動機器は使用しないものの、巻上げ装置２０５がウォームギア等の伝動機構から成り、この巻上げ装置２０５を介し人力で人体吊り具２０４を巻き上げて要介護者ＭをベッドＢから持ち上げるように構成されていたため、介護者はかなりの労力を要し、また、ベッドＢの両側の懸架部２０６に人体吊り具２０４の端部２０４ａ、２０４ｂを懸架する構造であったため、この懸架部２０６が邪魔となって介護作業がし難いという問題があった。
【０００９】
本発明は上述したような実情に鑑みなされたもので、本発明の主たる課題すなわち目的は、電動モータあるいは流体圧力シリンダ等の駆動手段を一切用いることなく、シンプルな機構で安価に製造することができ、かつ、介護作業を容易に行うことができる介護用リフトを提供することにある。
【課題を解決するための手段】
【００１０】
本発明の上記目的は、少なくとも高さ調節機構を有する介護用のベッドと併用される介護用リフトであって、前記介護用リフトは、下端側が前記ベッドの側辺に載置され、上端側が前記ベッドの上面上方に位置するように立設された支柱と、前記支柱の上端側から前記ベッドの長手方向に延設されたアームと、前記アームに懸架され前記ベッドの上面に垂下する人体吊り具とで構成され、前記人体吊り具を前記ベッドに横たわる要介護者の身体に装着した後、前記ベッドの高さを前記高さ調節機構を介して自動的に下げ、前記要介護者の背面と前記ベッドの上面との間に間隙を形成するようにして使用されることを特徴とする介護用リフトを提供することによって達成される。
【００１１】
また、本発明の上記目的は、前記支柱は、前記下端側に設けられた枢軸部を支点として前記ベッドの長手方向に折り畳み可能に設けられていることを特徴とする介護用リフトを提供することによって、効果的に達成される。
【００１２】
また、本発明の上記目的は、前記ベッドの長手方向は、前記要介護者の頭部側であることを特徴とする介護用リフトを提供することによって、効果的に達成される。
【００１３】
また、本発明の上記目的は、前記支柱は、前記要介護者の頭部側から脚部側に向けて湾曲状に形成されていることを特徴とする介護用リフトを提供することによって、効果的に達成される。
【００１４】
また、本発明の上記目的は、前記支柱の上端側に、該支柱を前記ベッドの長手方向に折り畳んだときにサイドレールとして機能するフレームが設けられていることを特徴とする介護用リフトを提供することによって、効果的に達成される。
【００１５】
また、本発明の上記目的は、前記支柱は、下端側が脚フレームに連結され、該脚フレームは前記支柱を高さ方向に移動可能なネジ部材を有していることを特徴とする介護用リフトを提供することによって、効果的に達成される。
【００１６】
また、本発明の上記目的は、前記脚フレームには、当該介護用リフト本体を移動可能とするキャスタが設けられていることを特徴とする介護用リフトを提供することによって、効果的に達成される。
【００１７】
また、本発明の上記目的は、前記支柱、前記アーム、及び前記脚フレームは同一素材のフレームにより一体的に設けられていることを特徴とする介護用リフトを提供することによって、効果的に達成される。
【００１８】
さらにまた、本発明の上記目的は、前記同一素材のフレームは金属製パイプであることを特徴とする介護用リフトを提供することによって、効果的に達成される。
【００１９】
本発明者は、鋭意研究を重ねた結果、従来の介護用リフト方式、すなわち駆動手段を介して人体吊り具を上方に移動させる方式とは逆の発想に着目し、介護用のベッドＢが有す高さ調節機構を活用することにより、下記効果を奏する本発明を想定に至ったものである。
【発明の効果】
【００２０】
すなわち、本発明に係る介護用リフトによれば、電動モータあるいは流体圧力シリンダ等の駆動手段を一切用いることなく、装置をシンプルに構成できるので、安価に製造することができる。また、支柱の高さを変えることにより、人体吊り具の位置、換言すれば要介護者の背部とベッドＢの上面間の間隙を任意の高さに調節することができ、おむつ交換等の介護作業が不要なときは、支柱を高さ方向の途中からベッドの長手方向に折り畳むことができ、さらにまた、支柱の下端側にキャスタを付けることにより、部屋の片隅等に移動させて片付けることができる等により、介護作業を容易に行うことができる利点がある。
【図面の簡単な説明】
【００２１】
【図１】本発明の第１実施形態に係る介護用リフトの斜視図ある。
【図２】上記介護用リフトの立面図である。
【図３】上記介護用リフトの平面図である。
【図４】上記介護用リフトの要部である支柱の構造説明図である。
【図５】図４のＸ−Ｘ矢視断面図である。
【図６】本発明の第２実施形態に係る介護用リフトの構成説明図で、（Ａ）は斜視図、（Ｂ）は平面図、（Ｃ）は立面図である。
【図７】本発明の第３実施形態に係る介護用リフトの構成説明図で、（Ａ）は斜視図、（Ｂ）は平面図、（Ｃ）は立面図である。
【図８】本発明の第４実施形態に係る介護用リフトの構成説明図で、（Ａ）は斜視図、（Ｂ）は平面図、（Ｃ）は立面図である。
【図９】従来の介護用リフトの立面図である。
【図１０】従来の介護用リフトの斜視図である。
【発明を実施するための形態】
【００２２】
以下、本発明の内容を実施形態に基づき詳細に説明する。なお、本発明は必ずしも以下の実施形態に限定されるものではなく、特許請求の範囲を逸脱しない範囲において、その構成を種々に変更し得ることはいうまでもない。
【００２３】
図１は、本発明の第１実施形態に係る介護用リフト１０の斜視図である。なお、以下に説明する本発明に係る介護用リフトは、少なくとも高さ調節機構を有する介護用のベッドＢと併用されるものである。
【００２４】
本介護用リフト１０は、ベッドＢの側辺に設置される脚フレーム１１に立設された支柱１２と、支柱１２間に懸架されたビーム１３と、中心部がビーム１３にピン１４を介して回転可能に支持され、端部がベッドＢの上面上方に延設されたアーム１５と、アーム１５の端部に設けられたフック１６と、フック１６に懸架されベッドＢの上面に垂下する人体吊り具１７（脚部吊り具１７ａ、背部・腰部吊り具１７ｂ）とから成り、介護者が人体吊り具１７をベッドＢに横たわる要介護者Ｍ（図２参照）の身体に装着した後、ベッドＢの高さをベッドＢに備えられた高さ位置調節器ＢＣを操作し、高さ位置調節機構を介して自動的に下げることにより、要介護者Ｍの背面とベッドＢの上面との間に間隙を形成するようにして使用される。
【００２５】
脚フレーム１１は、支柱１２を載置面に固定すると共に、高さ方向に移動可能なネジ部材１１ｓを水平フレーム１１ｆに有している。水平フレーム１１ｆは、図３に平面図で示すように、コの字状に枠組され、その下部側には本介護用リフト１０を移動可能とするキャスタ１１ｃが設けられている。
【００２６】
ネジ部材１１ｓは水平フレーム１１ｆに刻設されたネジ部（本実施形態では４箇所）に螺着され、この頭部を回転させて締め付けることにより脚部１１が床面に固定される。このとき、ネジ部材１１ｓの締め付け長さを調節することにより脚フレーム１１の床面からの高さＨ１を変え、支柱１２の高さを作業のし易い所望の高さに設定することができる。なお、本介護用リフト１０を移動させる場合には、ネジ部材１１ｓを上方に上げて床面から離し、キャスタ１１ｃを使用する。
【００２７】
支柱１２は、図４及び図５に示すように、下端部がコの字状の断面形状をなす立フレーム１２ｆの内部に装着され、枢軸部１２ｐによって立フレーム１２ｆに回転可能に取り付けられている。
【００２８】
ここに、枢軸部１２ｐは、先端部にネジが刻設されたボルト１２ｐＢとナット１２ｐＮとで構成され、立フレーム１２ｆ及び支柱１２の下端部に挿通されたボルト１２ｐＢの先端部にナット１２ｐＮが螺着されている。よって、ナット１２ｐＮを締め付けることにより支柱１２は脚部１１に固定され、ナット１２ｐＮを緩めることにより、支柱１２は枢軸部１２ｐを支点として、点線矢印Ｙ１で示すベッドＢの長手方向（本実施形態では要介護者Ｍの頭部側）に折り畳まれる。
【００２９】
なお、枢軸部１２ｐの設置位置、すなわち床面からの高さＨ２は、介護作業のし易さの面からベッドＢの上面位置より下方であることが望ましい。また、支柱１２は、作業性の面から要介護者Ｍの頭部側に折り畳めるようにすることが望ましいが、必要に応じ、脚部側に折り畳むようにすることも可能である。
【００３０】
水平フレーム１１ｆから立設された支柱１２は、その先端側がベッドＢの後方に向かって、すなわち要介護者Ｍの頭部側から脚部側に向かって湾曲する形状となっている。このように支柱１２を湾曲状に形成することにより、ベッドＢの上方のスペースを広く取ることができ、これにより介護者による介護作業がし易くなる利点がある。
【００３１】
本実施形態における脚部吊り具１７ａは全体が細帯状の部材により構成され、フック１６に懸架されてベッドＢの上面にリング状に垂下するようにして設けられている。一方、背部・腰部吊り具１７ｂは、要介護者Ｍの背部及び／または腰部に当接される部分が広幅帯状の部材により構成されている。
【００３２】
脚部吊り具１７ａ及び背部・腰部吊り具１７ｂは、ビーム１３にピン１４を介して回転可能に支持されたアーム１５の端部のフック１６に懸架されているので、ベッドＢの幅方向に自由に動かすことができる。
【００３３】
なお、このような人体吊り具１７は、形状や機能の異なる各種タイプのものが公知であることは前述したとおりであり、また、使用する数も、必要に応じ、任意に増減できることはいうまでもない。
【００３４】
次に、以上のとおり構成された本介護用リフト１０の使用方法について説明する。
【００３５】
介護作業に際し、先ず、介護者はベッド位置調節器ＢＣを操作して要介護者Ｍが横たわるベッドＢの高さを最上端位置にセットする。その後、所定形状に組み立てた本介護用リフト１０をベッドＢの前方（頭部側）から後方（脚部側）に向かって押し入れ、所定の作業位置に配置した後ネジ部材１１ｓを締め付けて床面に固定する。このとき、フック１６から垂下する脚部吊り具１７ａ及び背部・腰部吊り具１７ｂはベッドＢに横たわる要介護者Ｍの上方に位置している。なお、本実施形態では、その都度、本介護用リフト１０を移動させてベッドＢの側辺に設置するようにしているが、これをベッドＢの側辺に常時、配置・固定しておくようにしてもよく、また、ベッドＢへの移動方向を後方から前方としてもよい。
【００３６】
次に、介護者はベッド位置調節器ＢＣを操作してベッドＢの背上げを行い、脚部吊り具１７ａを要介護者Ｍの両脚に装着する一方、背部・腰部吊り具１７ｂを背部及び／又は腰部に装着する。
【００３７】
人体吊り具１７を要介護者Ｍにしっかり装着した後、介護者はベッド位置調節器ＢＣを操作してベッドＢの高さを自動的に下降させる。これにより、要介護者Ｍの背面とベッドＢの上面との間に間隙が形成される。なお、この間隙幅を所望の値に変え得ることは前述したとおりである。
【００３８】
この間隙を利用して、介護者は、おむつ交換、シーツ交換、臀部への便器の挿入、あるいは臀部の洗浄等の介護を行う。
【００３９】
なお、上記の作業が終了した後は、上記と逆の手順により、ベッドＢの上昇、人体吊り具１７の取り外し、必要に応じ、支柱１２の折り畳み等を行い、本介護用リフト１０を部屋の片隅等に移動し、かくして全介護作業を終了する。
【００４０】
図６は、本発明の第２実施形態に係る介護用リフト２０の構成説明図で、（Ａ）は斜視図、（Ｂ）は平面図、（Ｃ）は立面図である。
【００４１】
本介護用リフト２０は、ベッドＢの側辺に設置される脚フレーム２１に立設された支柱２２と、支柱２２間に懸架されたビーム２３と、中心部がビーム２３にピン２４を介して回転可能に支持され、端部がベッドＢの上方に延設されたアーム２５と、アーム２５の端部に設けられたフック２６と、フック２６に懸架されベッドＢの上面に垂下する人体吊り具２７（脚部吊り具２７ａ、背部・腰部吊り具２７ｂ）とから成っている。
【００４２】
なお、本実施形態に係る介護用リフト２０では、脚フレーム２１が直接床面に載置され、支柱２２の高さが一定なものとされているが、この脚フレーム２１に前記実施形態と同様のネジ部材を設け、高さ方向に移動可能としてもよい。
【００４３】
図示するように、脚フレーム２１は、一端部が上方にカーブして形成された左右一対の水平サイドフレーム２１ａと、水平サイドフレーム２１ａ間に懸架された横フレーム２１ｂと、水平サイドフレーム２１ａから立設された立フレーム２１ｃと、立フレーム２１ｃから傾斜して立設された複数本（本実施形態では２本）の傾斜フレーム２１ｄとによって構成されている。水平サイドフレーム２１ａと横フレーム２１ｂとは枢軸部２１ｐにより支持され、脚フレーム２１全体が枢軸部２１ｐを支点として回転可能となっている。
【００４４】
支柱２２は、先端側がベッドＢの後方に向かって湾曲する形状となっており、下端部が水平サイドフレーム２１ａの湾曲側と、上下端部間で傾斜フレーム２１ｄと夫々連結されている。このように、支柱２２は脚フレーム２１と一体化され、これにより枢軸部２１ｐを支点として矢印Ｙ２方向、すなわち要介護者Ｍの頭部方向に回転可能となっている。
【００４５】
本実施形態では、脚フレーム２１及び支柱２２は、アルミニウムあるいはステンレス等の金属製のパイプが好ましく使用されるが、これに限定されるものではない。なお、脚フレーム２１、支柱２２、ビーム２３、アーム２５等を全て同一部材により一体的に構成することも可能であり、これにより製造コストを低減させることができる。
【００４６】
本介護用リフト２０は、以上のとおり構成されているので、前記実施形態と同様に使用した後等において、支柱２２を要介護者Ｍの頭部方向に回転させて折り畳むことにより、脚部２１の立フレーム２１ｃ、傾斜フレーム２１ｄ及び支柱２２をサイドレールとして機能させることができ、これにより要介護者ＭがベッドＢから転げ落ちることを防止することができる。
【００４７】
図７は、本発明の第３実施形態に係る介護用リフト３０の構成説明図で、（Ａ）は斜視図、（Ｂ）は平面図、（Ｃ）は立面図である。
【００４８】
本介護用リフト３０では、支柱３２が前述した脚フレーム及びアームの機能を兼ね備え、実質的に同一形状に屈曲された２つのフレーム部材により構成されている。
【００４９】
図示するように、支柱３２、３２は、夫々脚部機能を有する脚フレーム３２ａ、立フレーム３２ｂ、アーム機能を有する横フレーム３２ｃが夫々連接されて全体がコの字状に屈曲して形成され、立フレーム３２ｂの略中間部において両者が交差するように設けられている。この交差点は枢軸部３２ｐ１とされ、これを支点として両者は矢印Ｙ３方向に折り畳まれて合体され、さらに脚フレーム３２ａを支点３２ｐ２として矢印Ｙ４方向に折り畳まれるようになっている。
【００５０】
人体吊り具３７（脚部吊り具３７ａ、背部・腰部吊り具３７ｂ）は横フレーム３２ｃに懸架され、ベッドＢ上に垂下される。
【００５１】
このように、本介護用リフト３０は、極めてシンプルなフレーム構造から成っているので、製造コストを一層低減することができる。また、支柱３２がベッドＢの片側のみに配置されている、すなわち横フレーム３２ｃが片持ち構造となっているので、介護者は支柱３２と反対側、すなわち図７（Ａ）の右下側から作業を効率よく行うことができる。
【００５２】
図８は、本発明の第４実施形態に係る介護用リフト４０の構成説明図で、（Ａ）は斜視図、（Ｂ）は平面図、（Ｃ）は立面図である。
【００５３】
本介護用リフト４０は、ベッドＢの側辺に設置される脚フレーム４１に立設された支柱４２と、支柱４２間に懸架されたビーム４３と、支点Ｐ１を中心としてビーム４３に回転可能に支持され、端部がベッドＢの上方に延設されたアーム４５と、アーム４５に懸架されたシャフト４６からベッドＢの上面に垂下する人体吊り具４７（脚部吊り具４７ａ、背部・腰部吊り具４７ｂ）とから成っている。
【００５４】
脚フレーム４１は、図８（Ｂ）に示すように、フレーム４１ａ、４１ｂ、４１ｃ、４１ｄにより平面視で凸状に形成され、フレーム４１ｂ間の幅（すなわちフレーム４１ｃの長さ）がフレーム４１ａ間の幅（すなわちフレーム４１ｄの長さ）より狭く設定されている。これにより、介護者の足場が確保され、介護者はベッドＢに横たわる要介護者Ｍに接近して介護作業を行うことができる。
【００５５】
支柱４２は、作業性の観点から、第１実施形態と同様に要介護者Ｍの頭部側から脚部側に向けて湾曲状に形成されている。
【００５６】
支柱４２の下端部は、脚フレーム４１（フレーム４１ａ）に枢軸部４２ｐ１を介して回転可能に支持され、かつ、下方側で補助支柱４２Ａにより支持されている。この補助支柱４２Ａは、内筒４２Ａ１と内部に圧縮コイルバネ４２Ａ３を有する外筒４２Ａからなるショックアブゾーバ構造のもので、内筒４２Ａ１の上端部のは、枢軸部４２ｐ２を介して支柱４２の略中央部に回転可能に支持され、外筒４２Ａの下端部が枢軸部４２ｐ３を介して脚フレーム４１（フレーム４１ａ）に回転可能に支持されている。
【００５７】
以上のとおり構成された本介護用リフト４０は、介護作業が終了すると、点線矢印Ｙ５で示すように、支柱４２が補助支柱４２Ａと共に要介護者Ｍの頭部側に折り畳まれる。このとき、点線矢印Ｙ６で示すように、アーム４５は支点Ｐ１を中心に回転され、シャフト４６から垂下する人体吊り具４７（脚部吊り具４７ａ、背部・腰部吊り具４７ｂ）がベッドＢから遠ざけられる。
【００５８】
なお、本実施形態に係る介護用リフト４０では、脚フレーム４１が直接床面に載置され、支柱４２の高さが一定なものとされているが、この脚フレーム４１に前記第１実施形態と同様のネジ部材を設け、高さ方向に移動可能としてもよく、またキャスタを設けることにより床面に対し移動可能としてもよい。さらにまた、上述した実施形態は、作業性の面から、全て、支柱が要介護者Ｍの頭部側に折り畳まれるように構成されているが、これを脚部側とすることも十分可能であることは前述したとおりである。
【符号の説明】
【００５９】
１０、２０、３０、４０          （本発明に係る）介護用リフト
１１、２１、４１                脚フレーム
１２、２２、３２、４２          支柱
１７、２７、３７、４７          人体吊り具
１００、２００                  （従来の）介護用リフト
Ｂ                              介護用のベッド
Ｍ                              要介護者
ＢＣ                            高さ位置調節器
【図１】
2010252942.tif 000003
【図２】
2010252942.tif 000004
【図３】
2010252942.tif 000005
【図４】
2010252942.tif 000006
【図５】
2010252942.tif 000007
【図６】
2010252942.tif 000008
【図７】
2010252942.tif 000009
【図８】
2010252942.tif 000010
【図９】
2010252942.tif 000011
【図１０】
2010252942.tif 000012